(57)【要約】【課題】  回路ブロック間およびシールド外への高いアイソレーション特性を確保できる無線機のシールド構造を提供する。【解決手段】  無線機のシールド構造１０は、無線機等に用いられる基板１１と、基板１１に搭載された回路１２と、基板１１への電源を供給する電源コネクタ１３および電源ケーブル１４と、基板１１の外部との制御をおこなう制御コネクタ１５および制御ケーブル１６と、基板１１に無線信号を通す無線コネクタ１７，１８と、回路１２を複数の回路ブロック１２Ａ…に分割し、分割した回路ブロック１２Ａ…毎にそれぞれ対応させ、不要輻射を抑制するシールド１９と、シールド１９と基板１１との間に介在させ、シールド１９と基板１１との間の隙間を塞ぐ導電性材質２０とを備える。【選択図】    図１
2007027509.tif 000002
【特許請求の範囲】
【請求項１】
複数の回路が搭載される基板と、
この基板の電源の供給をおこなう電源コネクタおよび電源ケーブルと、
前記基板の外部との制御をおこなう制御コネクタおよび制御ケーブルと、
前記基板に無線信号を通す無線コネクタと、
前記回路を複数の回路ブロックに分割し、分割した回路ブロック毎にそれぞれ対応させ、不要輻射を抑制するシールドと、
各シールドと前記基板との間に介在させ、各シールドと前記基板との間の隙間を塞ぐ導電性材質と、を備えたことを特徴とする無線機のシールド構造。
【請求項２】
前記回路ブロックと外部との制御をおこなう制御系の制御コネクタをシールド内に配置するとともに、前記基板への電圧の供給をおこなう電源系の電源コネクタをシールド内に配置したことを特徴とする請求項１記載の無線機のシールド構造。
【請求項３】
前記無線コネクタを前記シールドに取り付けたことを特徴とする請求項２記載の無線機のシールド構造。
【請求項４】
前記基板の片面側のシールドを天板および中間シールドの２部材に分割し、
天板と中間シールドとの間に前記導電性材質を介在させて、天板と中間シールドとの間の隙間を塞ぐことを特徴とする請求項３記載の無線機のシールド構造。
【請求項５】
前記基板の両面側のシールドを天板および中間シールドの２部材に分割し、
天板と中間シールドとの間に前記導電性材質を介在させて、天板と中間シールドとの間の隙間を塞ぐことを特徴とする請求項３記載の無線機のシールド構造。
【請求項６】
前記シールドを少なくとも２個に分けて、第１、第２のシールドとし、
第１、第２のシールドのうち、一方のシールドを、前記複数の回路ブロックから選択した任意の回路ブロックに対応させ、
他方のシールドを、残りの回路ブロックに対応させることを特徴とする請求項５記載の無線機のシールド構造。
【発明の詳細な説明】
【技術分野】
【０００１】
本発明は無線機のシールド構造に係り、特に、電波の漏れを防止する無線機のシールド構造に関する。
【背景技術】
【０００２】
従来、この種の無線機のシールド構造として、基板に搭載される高周波回路を含む回路を複数の回路ブロックに分割するとともに、分割した複数の回路ブロックに対応する複数のシールド板を、基板に平行にかつ各シールド板間に回路内の所定の間隔離間して半田付けにより配設したものが知られている。（例えば、特許文献１）。
【特許文献１】特開２００１−１３５９６８号公報
【０００３】
上記公報の無線機のシールド構造によれば、簡単なプレス加工のみでシールド板を形成することができ、部品点数を抑えるとともに、軽量化を図ることができる。
さらに、この無線機のシールド構造によれば、回路を複数の回路ブロックに分割して、それぞれの回路ブロックにシールド板を配設することで、必要な回路部分を確実にシールドすることができる。
【０００４】
すなわち、この無線機のシールド構造を適用することで、特に、小型化、軽量化、コストダウンが要求される携帯電話等の無線機に最適なシールド構造を提供することができる。
【発明の開示】
【発明が解決しようとする課題】
【０００５】
ところで、上記公報の無線機のシールド構造は、シールド板を基板に組み込む際に、シールド板側に足部を設け、その足部を基板に半田付けする必要がある。半田付けした部分はシールド板と基板の接触が良いが、その他の部分は十分な接触を確保することが難しい。
【０００６】
このため、シールド板全体と基板を均等に接触させることができず、シールドと基板との間に隙間が生じる。
シールドと基板との間に隙間が生じると、隙間からシールド板外への不要な輻射（電波の漏れ）が発生するため、高いアイソレーション特性を確保できないという問題があった。
【０００７】
本発明は、このような従来の問題に鑑みてなされたものであり、回路ブロック間およびシールド外への高いアイソレーション特性を確保できる無線機のシールド構造を提供することを目的とする。
【課題を解決するための手段】
【０００８】
本発明の無線機のシールド構造は、複数の回路が搭載される基板と、この基板の電源の供給をおこなう電源コネクタおよび電源ケーブルと、前記基板の外部との制御をおこなう制御コネクタおよび制御ケーブルと、前記基板に無線信号を通す無線コネクタと、前記回路を複数の回路ブロックに分割し、分割した回路ブロック毎にそれぞれ対応させ、不要輻射を抑制するシールドと、各シールドと前記基板との間に介在させ、各シールドと前記基板との間の隙間を塞ぐ導電性材質と、を備えたことを特徴とする。
【０００９】
シールドと基板との間に導電性材質を介在させ、導電性材質でシールドと基板との間の隙間を塞ぐことで、シールド全体と基板が均等に接触する。
これにより、回路ブロック間の高いアイソレーション特性を確保でき、無線機の諸特性の向上および劣化軽減が図れる。
【００１０】
本発明の無線機のシールド構造は、前記回路ブロックと外部との制御をおこなう制御系の制御コネクタをシールド内に配置するとともに、前記基板への電圧の供給をおこなう電源系の電源コネクタをシールド内に配置したことを特徴とする。
【００１１】
制御コネクタおよび電源コネクタをシールド内に配置することで、制御用のケーブルおよび電源用のケーブルへの輻射によるアイソレーション特性の劣化を軽減でき、無線機の諸特性の向上および劣化軽減が図れる。
【００１２】
本発明の無線機のシールド構造は、前記無線コネクタを前記シールドに取り付けたことを特徴とする。
【００１３】
無線コネクタを前記シールドに取り付けることで、無線コネクタからの輻射によるアイソレーション特性の劣化を軽減でき、無線機の諸特性の向上および劣化軽減が図れる。
【００１４】
本発明の無線機のシールド構造は、前記基板の片面側のシールドを天板および中間シールドの２部材に分割し、天板と中間シールドとの間に前記導電性材質を介在させて、天板と中間シールドとの間の隙間を塞ぐことを特徴とする。
【００１５】
基板の片面側のシールドを天板および中間シールドの２部材に分割することで、シールドを組み込んだ後の仕様変更に伴う部品定数の変更の際や、ボリューム等による再調整の際に、天板を外すだけで作業を容易におこなうことを可能とする。
【００１６】
本発明の無線機のシールド構造は、前記基板の両面側のシールドを天板および中間シールドの２部材に分割し、天板と中間シールドとの間に前記導電性材質を介在させて、天板と中間シールドとの間の隙間を塞ぐことを特徴とする。
【００１７】
基板の両面側のシールドを天板および中間シールドの２部材に分割することで、両面実装の基板においても、シールド組み込み後の仕様変更に伴う部品定数の変更の際や、ボリューム等による再調整の際に、天板を外すだけで、基板の片面のみならず両面実装部品にも対応でき、作業を容易におこなうことを可能とする。
【００１８】
本発明の無線機のシールド構造は、前記シールドを少なくとも２個に分けて、第１、第２のシールドとし、第１、第２のシールドのうち、一方のシールドを、前記複数の回路ブロックから選択した任意の回路ブロックに対応させ、他方のシールドを、残りの回路ブロックに対応させることを特徴とする。
【００１９】
シールドを少なくとも２個に分けて、一方のシールドを、複数の回路ブロックから選択した任意の回路ブロックに対応させ、他方のシールドを、残りの回路ブロックに対応させることで、基板内のグランド間による不要な輻射の混入を抑制することができ、無線機の諸特性の向上および劣化軽減が図れる。
【発明の効果】
【００２０】
本発明によれば、シールドと基板との間の隙間を導電性材質で塞ぐことで、回路ブロック間の高いアイソレーション特性を確保でき、無線機の諸特性の向上および劣化軽減が図れる。
【発明を実施するための最良の形態】
【００２１】
（第１実施形態）
図１、図２に示すように、第１実施形態の無線機のシールド構造１０は、無線機等に用いられる基板１１と、基板１１に搭載された回路１２と、基板１１への電源を供給する電源コネクタ１３および電源ケーブル１４と、基板１１の外部との制御をおこなう制御コネクタ１５および制御ケーブル１６と、基板１１の回路１２に無線信号を通す無線コネクタ１７，１８と、回路１２を複数の回路ブロック１２Ａ…（…は複数を示す）に分割し、分割した回路ブロック１２Ａ…毎にそれぞれ対応させ、不要輻射を抑制するシールド１９と、シールド１９と基板１１との間に介在させ、シールド１９と基板１１との間の隙間を塞ぐ導電性材質２０（図３も参照）とを備える。
【００２２】
シールド１９は、壁部１９Ａと、天井部１９Ｂを一体形成し、壁部１９Ａで各回路ブロック１２Ａ…を仕切ることにより、各回路ブロック１２Ａ…を個別に分離させる部材である。
【００２３】
導電性材質２０は、シールド１９と基板１１の接触位置を示すシールド仕切り位置２１に設けられることで、シールド１９の壁部１９Ａの端部１９Ｃ（図１、図３参照）と、基板１１のシールド仕切り位置２１との間に挟まれた部材である。
導電性材質２０は、一例として銅塗料、遮蔽用銅編組テープが用いられる。
【００２４】
図３に示すように、導電性材質２０をシールド１９と基板１１との間に介在させることで、シールド１９と基板１１とが均等に接触される。
このように、シールド１９と基板１１とを均等に接触させることで、シールド１９と基板１１との間の隙間をなくして、各回路ブロック１２Ａ…を確実に仕切ることにより、回路ブロック１２Ａ…間の高いアイソレーション特性が確保できる。
これにより、各回路ブロック１２Ａ…からシールド１９外への不要輻射（電波の漏れ）が抑制でき、無線機の諸特性の向上および劣化軽減が図れる。
【００２５】
（第２実施形態）
図４〜図６に示すように、第２実施形態の無線機のシールド構造３０は、無線機等に用いられる基板３１と、基板３１に搭載された回路３２と、基板３１への電源を供給する電源コネクタ３３および電源ケーブル３４と、基板３１の外部との制御をおこなう制御コネクタ３５および制御ケーブル３６と、基板３１に無線信号を通す無線コネクタ３７，３８と、回路３２を複数の回路ブロック３２Ａ…に分割し、分割した回路ブロック３２Ａ…毎にそれぞれ対応させた不要輻射を抑制する上シールド（シールド）３９と、電源コネクタ３３および制御コネクタ３５に対応させた不要輻射を抑制する下シールド（シールド）４０と、上シールド３９と基板１１との間に介在させ、上シールド３９と基板３１との間の隙間を塞ぐとともに、下シールド４０と基板１１との間に介在させ、下シールド４０と基板３１との間の隙間を塞ぐ導電性材質４２とを備える。
【００２６】
上シールド３９は、壁部３９Ａと、天井部３９Ｂを一体形成し、壁部３９Ａで各回路ブロック３２Ａ…を仕切ることにより、各回路ブロック３２Ａ…を個別に分離させる部材である。
下シールド４０は、壁部４０Ａと、天井部４０Ｂを一体形成し、壁部４０Ａで、電源コネクタ３３および制御コネクタ３５を仕切ることにより、電源コネクタ３３および制御コネクタ３５を個別に分離させる部材である。
【００２７】
導電性材質４２は、上シールド３９と基板３１の接触位置を示すシールド仕切り位置に設けられることで、上シールド３９の壁部３９Ａの端部と、基板３１のシールド仕切り位置との間に挟まれた部材である。
また、導電性材質４２は、下シールド４０と基板３１の接触位置を示すシールド仕切り位置に設けられることで、下シールド４０の壁部４０Ａの端部と、基板３１のシールド仕切り位置との間に挟まれた部材である。
導電性材質４２は、一例として、第１実施形態の導電性材質２０と同じ材質が用いられる。
【００２８】
第２実施形態によれば、導電性材質４２を上シールド３９と基板３１との間に介在させるとともに、下シールド４０と基板３１との間に介在させることで、上下のシールド３９，４０と基板３１とがそれぞれ均等に接触される。
このように、上下のシールド３９，４０と基板３１とを均等に接触させることで、上下のシールド３９，４０と基板３１との間の隙間をなくして、各回路ブロック３２Ａ…を確実に仕切るとともに、電源コネクタ３３および制御コネクタ３５を確実に仕切ることができる。
【００２９】
よって、第１実施形態と同様に、回路ブロック３２Ａ…間の高いアイソレーション特性が確保できる。
これにより、各回路ブロック３２Ａ…から上下のシールド３９，４０外への不要輻射（電波の漏れ）が抑制でき、無線機の諸特性の向上および劣化軽減が図れる。
【００３０】
加えて、電源コネクタ３３および制御コネクタ３５に対応させて下シールド４０を設けることで、制御ケーブル３６および電源ケーブル３４への輻射によるアイソレーション特性の劣化を軽減できる。よって、制御系および電源系への高いアイソレーション特性を確保できる。
【００３１】
これにより、各回路ブロック３２Ａ…から上シールド３９外への不要輻射（電波の漏れ）が抑制でき、電源コネクタ３３および制御コネクタ３５から下シールド４０外への不要輻射（電波の漏れ）が抑制でき、無線機の諸特性の更なる向上および更なる劣化軽減が図れる。
【００３２】
（第３実施形態）
図７〜図９に示すように、第３実施形態の無線機のシールド構造５０は、無線コネクタ５１，５２，５３を、上下のシールド３９，４０の壁部３９Ａ，４０Ａに装着可能に構成したことを特徴とし、その他の構成は第２実施形態の無線機のシールド構造３０と同様である。
第３実施形態の無線機のシールド構造５０において、第２実施形態のシールド構造３０と同一類似部材については同一符号を付して説明を省略する。
【００３３】
無線コネクタ５１，５２，５３は、上下のシールド３９，４０の壁部３９Ａ，４０Ａにネジ５６…で取り付けられている。
【００３４】
図１０に示すように、基板３１には、上シールド３９の壁部３９ａの端部が接触する位置として、シールド仕切り位置（網目で示す部位）５７が存在する。
上シールド３９の壁部３９ａの端部と基板３１のシールド仕切り位置５７との間に導電性材質４２（図７，図８，図９参照）が介在されている。
【００３５】
第３実施形態の無線機のシールド構造５０によれば、第２実施形態の無線機のシールド構造３０と同様の効果を得ることができる。
【００３６】
加えて、第３実施形態の無線機のシールド構造５０によれば、無線コネクタ５１，５２，５３をネジ５６…等で上下のシールド３９，４０の壁部３９Ａ，４０Ａに取り付けることで、無線コネクタ５１，５２，５３からの輻射によるアイソレーション特性の劣化を軽減できる。よって、無線系への高いアイソレーション特性を確保できる。
これにより、上下のシールド３９，４０外への不要輻射（電波の漏れ）がより一層抑制でき、無線機の諸特性の向上および劣化軽減が図れる。
【００３７】
（第４実施形態）
図１１に示すように、第４実施形態の無線機のシールド構造６０は、基板３１の上面側（片面側）の上シールド６１を天板６２および中間シールド６３の２部材に分割し、天板６２と中間シールド６３との間に導電性材質４２を介在させて、天板６２と中間シールド６３との間の隙間を塞ぐようにしたことを特徴とし、その他の構成は第３実施形態の無線機のシールド構造５０と同様である。
【００３８】
第４実施形態の無線機のシールド構造６０によれば、第３実施形態の無線機のシールド構造５０と同様の効果を得ることができる。
【００３９】
加えて、第４実施形態の無線機のシールド構造６０によれば、上シールド６１を天板６２および中間シールド６３の２部材に分割することで、上シールド６１を組み込んだ後の仕様変更に伴う部品定数の変更の際や、ボリューム等による再調整の際に、天板６２を外すだけで作業を容易におこなうことを可能とする。
【００４０】
（第５実施形態）
図１２に示すように、第５実施形態の無線機のシールド構造７０は、基板３１の上面側の上シールド６１を天板６２および中間シールド６３の２部材に分割するとともに、基板３１の下面側の下シールド７１を天板７２および中間シールド７３の２部材に分割したことを特徴とし、その他の構成は第４実施形態の無線機のシールド構造６０と同様である。
【００４１】
第５実施形態の無線機のシールド構造７０によれば、第４実施形態の無線機のシールド構造６０と同様の効果を得ることができる。
【００４２】
加えて、第５実施形態の無線機のシールド構造７０によれば、基板３１の上下のシールド６１，７１を天板６２，７２および中間シールド６３，７３の２部材に分割することで、基板３１の両面に実装した際にも、シールドを組み込んだ後の仕様変更に伴う部品定数の変更の際や、ボリューム等による再調整の際に、天板６２，７２を外すだけで作業を一層容易におこなうことを可能とする。
【００４３】
（第６実施形態）
図１３〜図１４に示すように、第６実施形態の無線機のシールド構造８０は、上シールド（シールド）８１を少なくとも２個に分けて、第１、第２のシールド８２，８３とし、第１、第２のシールド８２，８３のうち、一方のシールド８２を、複数の回路ブロック３１Ａ…から選択した任意の回路ブロック（以下、選択した回路ブロックの集合体を第１回路ブロックユニット８４と称す）に対応させ、他方のシールド８３を、残りの回路ブロック（以下、残りの回路ブロックの集合体を第２回路ブロックユニット８５と称す）に対応させることを特徴とし、その他の構成は第５実施形態の無線機のシールド構造７０と同様である。
【００４４】
第１シールド８２は、第４実施形態の上シールド６１と同様に、天板８６および中間シールド８７の２部材に分割し、天板８６と中間シールド８７との間に導電性材質４２を介在させて、天板８６と中間シールド８７との間の隙間を塞ぐように構成されている。
第２シールド８３は、第１シールド８２と同様に、天板８８および中間シールド８９の２部材に分割し、天板８８と中間シールド８９との間に導電性材質４２を介在させて、天板８８と中間シールド８９との間の隙間を塞ぐように構成されている。
【００４５】
第６実施形態の無線機のシールド構造８０によれば、第５実施形態の無線機のシールド構造７０と同様の効果を得ることができる。
【００４６】
加えて、第６実施形態の無線機のシールド構造８０によれば、上シールド８１を少なくとも２個に分けて、第１シールド８２を第１回路ブロックユニット８４に対応させ、第２シールド８３を第２回路ブロックユニット８５に対応させることで、第１回路ブロックユニット８４および第２回路ブロックユニット８５において、基板３１内のグランド間による不要な輻射の混入を抑制することができ、無線機の諸特性の向上および劣化軽減が図れる。
【産業上の利用可能性】
【００４７】
本発明は、電波の漏れ防止が求められ、高いアイソレーション特性が要求される無線機等への適用に好適である。
【図面の簡単な説明】
【００４８】
【図１】本発明に係る無線機のシールド構造の第１実施形態を示す側面図である。
【図２】図１のＡ−Ａ線断面図である。
【図３】図１のＢ部拡大図である。
【図４】第２実施形態に係る無線機のシールド構造を示す斜視図である。
【図５】図４のＣ−Ｃ線断面図である。
【図６】図４のＤ−Ｄ線断面図である。
【図７】第３実施形態に係る無線機のシールド構造を示す斜視図である。
【図８】図７のＥ−Ｅ線断面図である。
【図９】図７のＦ−Ｆ線断面図である。
【図１０】第３実施形態に係る無線機のシールド構造から上シールドを除去した状態を示す平面図である。
【図１１】第４実施形態に係る無線機のシールド構造を示す分解斜視図である。
【図１２】第５実施形態に係る無線機のシールド構造を示す分解斜視図である。
【図１３】第６実施形態に係る無線機のシールド構造を示す斜視図である。
【図１４】第６実施形態に係る無線機のシールド構造から上シールドを除去した状態を示す平面図である。
【符号の説明】
【００４９】
１０，３０，５０，６０，７０，８０  無線機のシールド構造
１１，３１  基板
１２，３２  回路
１３，３３  電源コネクタ
１４，３４  電源ケーブル
１５，３５  制御コネクタ
１６，３６  制御ケーブル
１７，１８，３７，３８，５１，５２，５３  無線コネクタ
１２Ａ，３２Ａ  回路ブロック
１９，３９  シールド
２０，４２  導電性材質
３９，６１，８１  上シールド（シールド）
４０，７１  下シールド（シールド）
６２，７２  天板
６３，７３  中間シールド
８２  第１シールド
８３  第２シールド
８４  第１回路ブロックユニット
８５  第２回路ブロックユニット
【図１】
2007027509.tif 000003
【図２】
2007027509.tif 000004
【図３】
2007027509.tif 000005
【図４】
2007027509.tif 000006
【図５】
2007027509.tif 000007
【図６】
2007027509.tif 000008
【図７】
2007027509.tif 000009
【図８】
2007027509.tif 000010
【図９】
2007027509.tif 000011
【図１０】
2007027509.tif 000012
【図１１】
2007027509.tif 000013
【図１２】
2007027509.tif 000014
【図１３】
2007027509.tif 000015
【図１４】
2007027509.tif 000016